(57)【要約】【課題】回転子の初期的な質量不釣合いを低減し、電動送風機の振動および電動機特性を損なうことなく、安定させることが可能な電動送風機を提供することを目的とする。【解決手段】出力軸２の外周面上に軸受１が嵌合する範囲内で少なくとも１本の微小溝１１を設け、その微小溝１１に接着剤１２を塗布して軸受１を嵌合支持させるものであり、出力軸２の中心線に対して回転子３を質量対称とすることが可能で、回転子３の初期的な質量不釣合いを低減することが可能で、高速回転時においても振動の小さい電動送風機とすることができる。【選択図】  図１
2004316442.tif 000002
【特許請求の範囲】
【請求項１】
２つの軸受と、前記軸受によって両端を回転自在に嵌合支持される出力軸に固定された積層鉄心を有する回転子と、前記軸受を収納するハウジングを有したフレームと、前記フレーム内に内包された固定子と、前記回転子の出力軸端に側板を環状支持体に挟持された遠心ファンと、前記遠心ファンを覆うケーシングとを有する電動送風機において、前記出力軸の外周面上に、前記軸受が嵌合する範囲内で少なくとも１本の微小溝を設け、前記微小溝に接着剤を塗布して前記軸受を嵌合支持させたことを特徴とする電動送風機。
【請求項２】
２つの軸受と、前記軸受によって両端を回転自在に嵌合支持される出力軸に固定された積層鉄心を有する回転子と、前記軸受を収納するハウジングを有したフレームと、前記フレーム内に内包された固定子と、前記回転子の出力軸端に側板を環状支持体に挟持された遠心ファンと、前記遠心ファンを覆うケーシングとを有する電動送風機において、前記出力軸の外周面上に塑性変形により半径方向外側へ膨らませた微小段を構成し、前記微小段によって前記軸受の内輪が前記出力軸の反出力側方向に保持されていることを特徴とする電動送風機。
【発明の詳細な説明】
【０００１】
【発明の属する技術分野】
本発明は電気掃除機等に使用されている電動送風機に係るものである。
【０００２】
【従来の技術】
従来、電気掃除機等に使用されている電動送風機を図５に示し、図６は出力軸側のハウジング周辺の拡大断面図である。図６において、出力軸側の軸受１と出力軸２の保持固定方法としては、出力軸２の外周側に加工された溝１４に、例えば、半開放形の止輪１５を挿入し、その止輪１５で軸受１の内輪が所定の位置となるように固定される方法を採っていた。これによって出力軸側にナット９を締結する場合に、ナット９の締め付けによる推力を止輪１５により受けることになるため、軸受が反出力軸側へ移動することを防止できる（例えば、特許文献１参照）。
【０００３】
また、図７に示すように、出力軸を切削加工する際に出力軸の外径を軸受の内径よりも大きくした段差を設けておき、その段差で内輪を固定する場合もあった。
【０００４】
【特許文献１】
特開平９−１４２７５号公報
【０００５】
【発明が解決しようとする課題】
しかしながら、前記従来のような電動送風機においては、止輪１５を使用する場合、一般的に止輪１５が出力軸２の中心線に対して、質量非対称形であるため、初期的な質量不釣合いを有しており、これが回転子の初期的な質量不釣合いとの位相が同相となった場合には回転子の初期的な質量不釣合いが著しく増大することとなっていた。
【０００６】
また、両者における質量不釣合いの相対位置関係は均一なものではなく、個々の組立てにより変化するものであるため、回転子の初期的な質量不釣合いのばらつきが増大する原因ともなっていた。
【０００７】
そして、このような課題は、特に数万回転で回転する電気掃除機等に使用される電動送風機では、回転子を高速回転させて遠心ファンの吸込力を増加させる必要があるため、より顕著なものであった。
【０００８】
なお、前記質量不釣合いを低減する方法としては、回転子積層鉄心を切削して調整されるが、質量不釣合いを所定値以下に低減するためには、その切削量が個々の回転子により大きく相違することとなり、この結果、回転子の鉄量の差が拡大し性能のばらつきにつながっていた。
【０００９】
また、段つき出力軸を使用する場合、回転子の初期的な質量不釣合いのばらつきは少なくなる。しかし、回転子の積層鉄心が固定される部分の出力軸径を軸受を固定する部分の出力軸径より大きくしなければならず、結果として、回転子鉄心の内径が大きくなり、回転子の鉄量の減少につながり、電動機の性能の低下を生じていた。
【００１０】
本発明は、回転子の初期的な質量不釣合いを低減し、電動送風機の振動および電動機特性を損なうことなく、安定させることが可能な電動送風機を提供することを目的とする。
【００１１】
【課題を解決するための手段】
本発明は前記従来の課題に鑑みなされたものであり、出力軸の外周面上に軸受が嵌合する範囲内で少なくとも１本の微小溝を設け、その微小溝に接着剤を塗布して軸受を嵌合支持させるものである。
【００１２】
また、出力軸の外周面上に塑性変形により半径方向外側へ膨らませた微小段を形成し、その微小段によって軸受の内輪を出力軸の反出力軸側方向に保持させるものである。
【００１３】
このような構成により、特別の部品を使用することなく、初期的な質量不釣合いが低減され、ばらつきを抑制することができるようになる。
【００１４】
【発明の実施の形態】
本願の請求項１に記載の発明は、２つの軸受と、前記軸受によって両端を回転自在に嵌合支持される出力軸に固定された積層鉄心を有する回転子と、前記軸受を収納するハウジングを有したフレームと、前記フレーム内に内包された固定子と、前記回転子の出力軸端に側板を環状支持体に挟持された遠心ファンと、前記遠心ファンを覆うケーシングとを有する電動送風機において、前記出力軸の外周面上に、前記軸受が嵌合する範囲内で少なくとも１本の微小溝を設け、前記微小溝に接着剤を塗布して前記軸受を嵌合支持させたことを特徴とする電動送風機である。
【００１５】
また、請求項２に記載の発明は、２つの軸受と、前記軸受によって両端を回転自在に嵌合支持される出力軸に固定された積層鉄心を有する回転子と、前記軸受を収納するハウジングを有したフレームと、前記フレーム内に内包された固定子と、前記回転子の出力軸端に側板を環状支持体に挟持された遠心ファンと、前記遠心ファンを覆うケーシングとを有する電動送風機において、前記出力軸の外周面上に塑性変形により半径方向外側へ膨らませた微小段を構成し、前記微小段によって前記軸受の内輪が前記出力軸の反出力側方向に保持されていることを特徴とする電動送風機である。
【００１６】
これにより、回転子を出力軸の中心線に対して、質量対称形とすることができるようになる。
【００１７】
【実施例】
以下、本発明の具体例を図面を用いて説明する。なお、本発明は以下の具体例に拘泥するものではない。
【００１８】
（実施例１）
図１は本発明の電動送風機を示すものであり、また、図２は出力軸側ハウジング周辺の拡大断面図を示すものである。
【００１９】
フレーム４およびフレーム５はネジまたはカシメにより固定されており、フレーム４およびフレーム５により形成された空間に、軸受１と軸受１７により両側を嵌合支持された回転子３と、固定子６を有している。
【００２０】
出力軸２は遠心ファン７側に延びており、出力軸２には遠心ファン７が取り付けられている。遠心ファン７は軸受１の内輪端面より２つの環状支持体８に挟持され、出力軸２の端でナット９により締結固定されている。
【００２１】
ケーシング１０は、フレーム５の外周面に嵌合されており、遠心ファン７を覆う構成を有している。
【００２２】
軸受１は、出力軸２の外周面上に設けられた１本の微小溝１１に一定量の接着剤１２を塗布した後、出力軸２と嵌合される。一般的に接着剤１２としては嫌気性のものが使用されるため、微小溝１１に塗布された接着剤１２は、軸受２が嵌合された後、外気と遮断され、硬化が促進し固定される。
【００２３】
（実施例２）
図３は他の出力軸側ハウジング周辺の拡大断面図を示すものである。図３において軸受１の内輪は、出力軸２の中心線に対して垂直な面上に塑性変形により半径方向外側へ膨らませた微小段１３によって出力軸２の半出力軸側方向に保持されている。
【００２４】
なお、微小段１３は図４に示すように、出力軸２の中心線に対して平行な面上に塑性変形により半径方向外側へ膨らませて形成してもよい。
【００２５】
【発明の効果】
以上のように、請求項１に記載の発明によれば、出力軸の外周面上に軸受が嵌合する範囲内で少なくとも１本の微小溝を設け、前記微小溝に接着剤を塗布して軸受を嵌合支持させているため、出力軸の中心線に対して回転子を質量対称とすることが可能で、回転子の初期的な質量不釣合いを低減することができ、毎分２５０００回転以上の高速回転時においても振動の小さい電動送風機とすることができるとともに、電動機の性能ばらつきも抑制することができる。
【００２６】
また、請求項２に記載の発明によれば、出力軸の外周面上に塑性変形により半径方向外側へ膨らませた微小段を形成し、前記微小段によって軸受の内輪を出力軸の反出力軸側方向に保持させるため、出力軸の中心線に対して回転子を質量対称とすることが可能で、回転子の初期的な質量不釣合いを低減することができ、毎分２５０００回転以上の高速回転時においても振動の小さい電動送風機とすることができるとともに、電動機の性能ばらつきも抑制することができる。
【００２７】
なお、このような回転子構成とすることにより、回転子の積層鉄心の鉄量を減少させることがないため、電動機の性能を低下させることもなく、低振動の電動送風機とすることができる。
【００２８】
さらに、請求項１および請求項２に記載の構成を複合的に採用した場合、その効果はより顕著なものとなる。
【図面の簡単な説明】
【図１】本発明の電動送風機を示す半断面図
【図２】本発明の出力軸側ハウジング周辺を示す拡大断面図
【図３】本発明の出力軸側ハウジング周辺を示す拡大断面図
【図４】本発明の出力軸側ハウジング周辺を示す拡大断面図
【図５】従来の電動送風機を示す半断面図
【図６】従来の出力軸側ハウジング周辺を示す拡大断面図
【図７】従来の出力軸側ハウジング周辺を示す拡大断面図
【符号の説明】
１、１７  軸受
２  出力軸
３  回転子
４、５  フレーム
６  固定子
７  遠心ファン
８  環状支持体
９  ナット
１０  ケーシング
１１  微小溝
１２  接着剤
１３  微小段
【図１】
2004316442.tif 000003
【図２】
2004316442.tif 000004
【図３】
2004316442.tif 000005
【図４】
2004316442.tif 000006
【図５】
2004316442.tif 000007
【図６】
2004316442.tif 000008
【図７】
2004316442.tif 000009